(57)【要約】  【課題】  安価な構成で使い勝手が良く、光コードによる配線でも、低コストかつ接続ミスの発生を抑止するような光コネクタを提供する。  【解決手段】  配線用光コード１０６の端末に設けられるフェルール１０１と、導線１０７の端末に設けられるメタル端子１０２と、これらフェルール１０１およびメタル端子１０２が並べられて収容されるプラグフレーム１０５と、これらを収容するカバー１０３と、を有するプラグ１００と、フェルール１０１を収容する割スリーブ２０２と、メタル端子１０２を電気的に接続するメタル接続端子２０３と、これら割スリーブ２０２およびメタル接続端子２０３が並べられて収容される二個のアダプタハウジング２０１と、を有するアダプタ２００と、を備え、アダプタ２００の両方から二個のプラグ１００が対向しつつ嵌挿されて接続される光コネクタとした。【選択図】  図３
0003107377.tif 000002
【実用新案登録請求の範囲】
【請求項１】
配線用光コードの端末に設けられるフェルールと、導線の端末に設けられるメタル端子と、これらフェルールおよびメタル端子が並べられて収容されるプラグフレームと、プラグフレーム、配線用光コードおよび導線を収容するカバーと、を有するプラグと、
フェルールを収容する割スリーブと、メタル端子を電気的に接続するメタル接続端子と、これら割スリーブおよびメタル接続端子が並べられて収容されるアダプタハウジングと、を有するアダプタと、
を備え、
アダプタの両方から二個のプラグが対向しつつ嵌挿されて接続されることを特徴とする光コネクタ。
【請求項２】
請求項１に記載の光コネクタにおいて、
前記プラグは突起を有し、また、前記アダプタはツメを有し、
これら突起の幅およびツメの幅は略等しい長さであり、かつその長さはフェルールおよびメタル端子を並べた幅と略等しいか、またはより大きいことを特徴とする光コネクタ。
【請求項３】
請求項１または請求項２に記載の光コネクタにおいて、
前記プラグは位置決め突起をフェルール側および／またはメタル端子側に有し、また、前記アダプタはスロットを割スリーブ側および／またはメタル接続端子側に有し、
突起がスロットに嵌め込まれて位置決めされつつ接続されることを特徴とする光コネクタ。
【考案の詳細な説明】
【技術分野】
【０００１】
本考案は、光学接続部と電気接続部とを共に接続するような光コネクタに関する。
【背景技術】
【０００２】
配線盤では接続ミスが起こりやすいことからその対策が必要となっている。そのような接続ミス対策を施した配線盤の従来技術例として、例えば、先行技術文献（特開平６−２６０２３５号公報，発明の名称「配線接続装置及び配線接続方法」）が知られている。この先行技術文献に記載された従来技術では、メタルケーブルをＬＥＤ表示による誘導や、六線の中の一線を接続確認線として接続確認を行うものである。
【考案の開示】
【考案が解決しようとする課題】
【０００３】
先行技術文献に記載した従来技術では、六線の中の一線を接続確認線として接続確認を行うものである。近年ではメタルケーブルに換えて信号線として光コードを用いたいという要請があるが、光コードによるパッチパネル盤の場合では単純に適用できないという事情があった。通信線と接続確認線との光コードを併走させた光接続ケーブルを用いたとすると、接続確認をできるようにするために接続確認線用の光コード、Ｅ／Ｏ変換器、Ｏ／Ｅ変換器などがポートの数だけ必要となって、コストが大幅に上昇するという問題があった。
【０００４】
さらには、複数の光コードが併走する光接続ケーブルでは、一次側，二次側コネクタユニットにおいてコネクタを正確な位置で対向させる必要があるが、複数の光コードで折り曲げにくくなっている光接続ケーブルからの力によりコネクタ位置がずれて、光信号がうまく通信できなくなり、この点で接続ミスになるおそれもある。この接続ミスは一次側，二次側コネクタユニットにおいてコネクタが正しく接続されているため却って接続ミスの原因が分からず、管理を困難にするおそれもあった。
【０００５】
そこで、本考案は、上記の課題を解決するためになされたものであり、その目的は、安価な構成で使い勝手が良く、光コードによる配線でも、低コストかつ接続ミスの発生を抑止するような光コネクタを提供することにある。
【課題を解決するための手段】
【０００６】
このような本考案の請求項１に係る光コネクタは、
配線用光コードの端末に設けられるフェルールと、導線の端末に設けられるメタル端子と、これらフェルールおよびメタル端子が並べられて収容されるプラグフレームと、プラグフレーム、配線用光コードおよび導線を収容するカバーと、を有するプラグと、
フェルールを収容する割スリーブと、メタル端子を電気的に接続するメタル接続端子と、これら割スリーブおよびメタル接続端子が並べられて収容されるアダプタハウジングと、を有するアダプタと、
を備え、アダプタの両方から二個のプラグが対向しつつ嵌挿されて接続されることを特徴とする。
【０００７】
また、本考案の請求項２に係る光コネクタは、
請求項１に記載の光コネクタにおいて、
前記プラグは突起を有し、また、前記アダプタはツメを有し、
これら突起の幅およびツメの幅は略等しい長さであり、かつその長さはフェルールおよびメタル端子を並べた幅と略等しいか、またはより大きいことを特徴とする。
【０００８】
また、本考案の請求項３に係る光コネクタは、
請求項１または請求項２に記載の光コネクタにおいて、
前記プラグは位置決め突起をフェルール側および／またはメタル端子側に有し、また、前記アダプタはスロットを割スリーブ側および／またはメタル接続端子側に有し、
突起がスロットに嵌め込まれて位置決めされつつ接続されることを特徴とする。
【考案の効果】
【０００９】
以上のような本考案によれば、安価な構成で使い勝手が良く、光コードによる配線でも、低コストかつ接続ミスの発生を抑止するような光コネクタを提供することができる。
【考案を実施するための最良の形態】
【００１０】
本考案の光コネクタを実施するための最良の形態について図に基づき以下に説明する。図１は本形態の光コネクタのプラグの構成図であり、図１（ａ）は平面図、図１（ｂ）は正面図、図１（ｃ）は側面図である。図２は本形態の光コネクタのアダプタの構成図であり、図２（ａ）は平面図、図２（ｂ）は正面図、図２（ｃ）は側面図、図２（ｄ）は斜視断面図である。図３は接続前の光コネクタの断面図である。図１で示すプラグ１００を、図２で示すアダプタ２００に、図３で示すように接続するものである。実際はアダプタ２００の両端からプラグ１００を差し込んで使用する。
【００１１】
プラグ１００は、図１で示すように、フェルール１０１、メタル端子１０２、カバー１０３、フード１０４、プラグフレーム１０５、配線用光コード１０６、導線（金属線）１０７を備える。さらにプラグ１００の内部は、図３で示すように、抗張力体１０８、素線１０９、スプリング１１０、メタル素線１１１を備える。
【００１２】
配線用光コード１０６および導線１０７はフード１０４内に収容され、外側被覆が除去される。配線用光コード１０６の中から抗張力体１０８および素線１０９が引き出される。この素線１０９は抗張力体１０８により覆われ、張力から保護されている。素線１０９の端部はフェルール１０１内に収容され、フェルール１０１の端面で光学的に接続可能になされている。フェルール１０１はスプリング１１０により付勢されており、フェルール１０１に対して他のフェルール（図示せず）が突き合わされて配置された場合にスプリング１１０の付勢力により、光学端面が常に接触して光学的に確実に接続される。また、機械的位置の相違を吸収する。
導線１０７の中にはメタル素線１１１が収容されている。このメタル素線１１１の端部にはメタル端子１０２が電気的に接続されている。
【００１３】
プラグフレーム１０５には、図１（ｂ），図３で示すように、穴部１０５ａ，１０５ｂが設けられている。フェルール１０１は穴部１０５ａ内に、また、メタル端子１０２は穴部１０５ｂ内に、それぞれ位置してプラグフレーム１０５により支持されており、フェルール１０１は上側に、また、メタル端子１０２は下側に配置されている。
フード１０４およびプラグフレーム１０５は、カバー１０３により覆われる。カバー１０３には、図１（ｂ），（ｃ）で示すように、左右両側に二個の突起１０３ａが、また図１（ａ），（ｂ），（ｃ）で示すように、上側に位置決め突起１０３ｂが配置されている。これら突起１０３ａおよび位置決め突起１０３ｂは、アダプタ２００に接続されるときに位置決め・固定を行うために用いられるものであり、説明を後述する。
【００１４】
アダプタ２００は、図２，図３で示すように、アダプタハウジング２０１、割スリーブ２０２、メタル接続端子２０３を備えている。
アダプタハウジング２０１は、スロット２０１ａ、ツメ２０１ｂ、フランジ部２０１ｃ、角穴２０１ｄを備えている。二個のアダプタハウジング２０１のフランジ部２０１ｃを貼り合わせてアダプタ２００を構成する。図３で示すように、このアダプタ２００の中央上側に割スリーブ２０２が、また、中央下側にメタル接続端子２０３がそれぞれ配置され、両端が角穴２０１ｄ内に位置している。また、図２（ａ）で示すように、スロット２０１ａが上側の手前側と奥側（図では左右両側）の両方に二個配置されている。また、図２（ｂ）で示すように角穴２０１ｄ内には、左右両側にツメ２０１ｂが配置されている。これらを用いる接続については後述する。
【００１５】
続いてこれらプラグ１００およびアダプタ２００の接続について説明する。図３で示す矢印Ａ方向にプラグ１００を差し込み、アダプタ２００の角穴２０１ｄ内にプラグ１００を挿入する。この際、まず、アダプタ２００のスロット２０１ａ内に、プラグ１００の位置決め突起１０３ｂが嵌め込まれて位置決めがなされるため、上下を誤って光学接続部と電気接続部とを誤接続することはない。
【００１６】
続いて奥へ挿入されるとフェルール１０１が割スリーブ２０２の中へ、また、メタル端子１０２がメタル接続端子２０３の中へ配置される。最終的にアダプタ２００のスロット２０１ａの奥側で、プラグ１００の位置決め突起１０３ｂが突き当たる。この際、プラグ１００の突起１０３ａが、アダプタ２００のツメ２０１ｂに係止されて固定される。フェルール１０１は割スリーブ２０２内に配置され、また、メタル端子１０２はメタル接続端子２０３に配置される。この際、メタル接続端子２０３では図示しないチューリップコンタクトのような機構部により、メタル端子１０２が滑らかに挿抜されて電気的に接続されるようにしても良い。
【００１７】
そして、図示しないがアダプタ２００の反対側でもプラグ１００が接続される。するとフェルール１０１の端部同士が両側から突き合わされて光学的に接続される。この際、スプリング１１０により、機械的位置のズレが吸収されつつ、また、最適な力で押圧される。同様にメタル端子１０２はメタル接続端子２０３に配置され、電気的に接続される。このようにして両側のプラグ１００がアダプタ２００に嵌め込まれて電気的・光学的に接続される。光コネクタはこのようなものである。
【００１８】
以上本形態の光コネクタについて説明した。しかしながら、本形態では各種の変形形態が可能である。
例えば本形態では、図３で示すように、プラグ１００の突起１０３ａの幅およびアダプタ２００のツメ２０１ｂの上下方向の幅ａは、略等しい長さであり、かつその長さは割スリーブ２０２およびメタル接続端子２０３を並べた幅ｂ（フェルール１０１およびメタル端子１０２でも同じ幅ｂ）と略等しいようにしている。これにより、抜け止めを確実にする。また、上下方向に長いため、例えばメタル端子１０２側のみに力が加わるような場合でも長い突起１０３ａとツメ２０１ｂとで係止されて、フェルール１０１およびメタル端子１０２は所定距離内しか移動しないため、光学的接続および電気的接続を維持する。
さらに、プラグ１００の突起１０３ａの幅およびアダプタ２００のツメ２０１ｂの幅は、略等しい長さであり、かつその長さはフェルール１０１およびメタル端子１０２を並べた幅より大きくするようにして、抜け止めを確実にしても良い。
【００１９】
また、本形態ではプラグ１００では位置決め突起１０３ｂをフェルール側（上側）のみ有し、また、アダプタ２００ではスロット２０１ａを割スリーブ側（上側）にのみ有する構成とし、突起１０３ｂがスロット２０１ａに嵌め込まれて位置決めされつつ接続される構成であった。
しかしながら、プラグ１００では位置決め突起１０３ｂをメタル端子側（下側）のみ有し、また、アダプタ２００ではスロット２０１ａをメタル接続端子側（下側）にのみ有する構成とし、突起１０３ｂがスロット２０１ａに嵌め込まれて位置決めされつつ接続される構成としても良い。
さらには、プラグ１００の上下両側に位置決め突起１０３ｂを、アダプタ２００の上下両側ではスロット２０１ａを配置しても良い。この場合、位置決め突起１０３ｂスロット２０１ａの幅を異ならせて、上下誤って配置しないように配慮する。
【００２０】
なお、本形態の光コネクタでは光学的接続および電気的接続をそれぞれ一つずつ行う１心の光コネクタであるとして説明した。しかしながら、上記フェルールおよびメタル端子をそれぞれ２個配置したプラグ、および、上記割スリーブおよびメタル接続端子をそれぞれ２個配置したアダプタを用いる２心の光コネクタとしてもよい。また、３心，４心という複数心の光コネクタとしても良い。これら構成は適宜採用される。
【００２１】
以上説明した光コネクタでは、接続とともに光学的接続と電気的接続がなされ、検出が容易な電気的接続がなされている場合には光学的接続がなされていると判断でき、光学的接続の有無を容易に検出できる。
【図面の簡単な説明】
【００２２】
【図１】本考案を実施するための最良の形態の光コネクタのプラグの構成図であり、図１（ａ）は平面図、図１（ｂ）は正面図、図１（ｃ）は側面図である。
【図２】本考案を実施するための最良の形態の光コネクタのアダプタの構成図であり、図２（ａ）は平面図、図２（ｂ）は正面図、図２（ｃ）は側面図、図２（ｄ）は斜視断面図である。
【図３】接続前の光コネクタの断面図である。
【符号の説明】
【００２３】
１００：プラグ
１０１：フェルール
１０２：メタル端子
１０３：カバー
１０３ａ：突起
１０３ｂ：位置決め突起
１０４：フード
１０５：プラグフレーム
１０５ａ：穴
１０５ｂ：穴
１０６：配線用光コード
１０７：導線
１０８：抗張力体
１０９：素線
１１０：スプリング
１１１：メタル素線
２００：アダプタ
２０１：アダプタハウジング
２０１ａ：スロット
２０１ｂ：ツメ
２０１ｃ：フランジ部
２０１ｄ：角穴
２０２：割スリーブ
２０３：メタル接続端子
【図１】
0003107377.tif 000003
【図２】
0003107377.tif 000004
【図３】
0003107377.tif 000005